(57)【要約】【課題】本発明は、キャップオープナーでペットボトルなどのキャップを把持するときに、小さい力でキャップオープナーを把持することができ、キャップの開閉時に滑りづらく、また、キャップオープナーの使用後の収納で場所をとらず壁や戸棚のフックにかけるなど、目立つところに保管ができ、鞄等に入れて持ち運ぶ際も考慮し、コンパクトな大きさと形状とし、鞄内で容易に探し出せるキャップオープナーを提供することである。【解決手段】課題を解決するための本発明に係るキャップオープナーは 、キャップを開閉するキャップオープナーであって、前記キャップの開閉を行う本体は、任意の形状に略復元可能な板状のヒンジと、前記ヒンジの両端に位置し、前記キャップの開閉時に手でつかむことができるグリップと、前記キャップの開閉時に前記キャップに接する滑り止めとを備え、さらに、前記本体に取り付け対象物に対し着脱可能なストラップとを備えている。【選択図】図１
2014234203.tif 000002
【特許請求の範囲】
【請求項１】
キャップを開閉するキャップオープナーであって、
前記キャップの開閉を行う本体は、
任意の形状に略復元可能な板状のヒンジと、
前記ヒンジの両端に位置し、前記キャップの開閉時に手でつかむことができるグリップと、
前記キャップの開閉時に前記キャップに接する滑り止めと、を備え、
前記本体に、取り付け対象物に対し着脱可能なストラップを備えていることを特徴とするキャップオープナー。
【請求項２】
前記グリップと前記滑り止めは、
同一部材で構成されていることを特徴とする請求項１に記載のキャップオープナー。
【請求項３】
前記グリップに取り付けられるカバーと前記滑り止めは、
同一部材で構成されていることを特徴とする請求項１に記載のキャップオープナー。
【請求項４】
前記本体の開き量を調整するストッパーが設けられていることを特徴とする請求項１〜３のいずれか１項に記載のキャップオープナー。
【請求項５】
前記ヒンジの厚みは、０．２ｍｍ〜３．０ｍｍであることを特徴とする請求項１〜４のいずれか１項に記載のキャップオープナー。
【請求項６】
前記ヒンジは、金属で構成さていることを特徴とする請求項１〜５のいずれか１項に記載のキャップオープナー。
【請求項７】
前記グリップは、前記ヒンジの長手方向の中央部分に対し、非対称形状としていることを特徴とする請求項１〜６のいずれか１項に記載のキャップオープナー。
【発明の詳細な説明】
【技術分野】
【０００１】
本発明は、ペットボトルや調味料などのキャップを小さな力で容易に開閉することができ、携帯性に優れたキャップオープナーに関するものである。
【背景技術】
【０００２】
近年、市場に流通しているペットボトルやしょうゆ、わさびなどの調味料などは、キャップを回転させて容器内部の固体や液体を取り出す商品が多い。これらの商品は、手のひらに比べてキャップ外径が小さく力が入りづらいため、幼児や高齢者の中にはキャップの開閉が容易ではない人もいる。特にペットボトルの場合、初回にキャップをあけるときは、本体に固定されている部材とキャップが数点で繋がっているため、本体に固定されている部材からキャップを引きちぎらなければならなく、通常のキャップの開閉より、より多くの力が必要となる。このようなことから、キャップを容易に開閉できるキャップオープナーの需要が高まっている。
【０００３】
従来、ペットボトルのキャップオープナーにおいて様々な方法が考案されている。例えば、特許文献１のように、キャップオープナー１は、左右一対のハンドル先端の絞り込み部１０の内縁でキャップの外周を包み込んで両ハンドル２，３を絞り込み回転させることにより、キャップの開放を行うものである。また、絞り込み部１０を構成する外側の側壁部と内側の側壁部とが接する深さまで窪ませた凹所１１を設けることにより可撓性を確保している。また、特許文献２では、  軟質プラスチック樹脂を材料とした筒形状を特徴とし、内径の一部に開口部を設けて、ペットボトルキャップに対して、垂直および水平方向から装着できる構造としている。さらに、装着を容易にするために内径をペットボトルキャップよりやや大きくしており、また、可撓性を高めるため、肉薄部分を設けている。
【先行技術文献】
【特許文献】
【０００４】
【特許文献１】実用新案登録第３１７２７３２号公報
【特許文献２】特開２０１１−８８６６５号公報
【発明の概要】
【発明が解決しようとする課題】
【０００５】
しかしながら、キャップの開閉を行う場合は、キャップオープナーをキャップに把持しながら回転させなければならないため、キャップオープナーの閉じる力を極力小さくすることが重要となる。従来の考案では、キャップオープナーをキャップに装着し閉じるときに可撓性を持たせているが、いずれもキャップオープナーの撓む部分に厚みがあり剛性が高いため、キャップを把持するときに機能以上の余計な力が必要となる問題がある。また、キャップオープナーを使用後引き出し等に入れてしまい、再度使用するときにキャップオープナーの収納場所を忘れ、探さなければならない問題もある。
【０００６】
本発明は、上記問題点を解決するためになされたものであり、キャップオープナーでペットボトルなどのキャップを把持するときに、手でつかみ易く、小さい力でキャップオープナーを把持することができ、キャップの開閉時に滑りづらく、また、キャップオープナーの使用後の収納で場所をとらず壁や戸棚のフックにかけるなど目立つところに保管ができ、鞄等に入れて持ち運ぶ際も考慮しコンパクトな大きさと形状とし鞄内で容易に探し出せるキャップオープナーを提供することである。
【課題を解決するための手段】
【０００７】
上記課題を解決するための本発明に係るキャップオープナーは 、キャップを開閉するキャップオープナーであって、前記キャップの開閉を行う本体は、任意の形状に略復元可能な板状のヒンジと、前記ヒンジの両端に位置し、前記キャップの開閉時に手でつかむことができるグリップと、前記キャップの開閉時に前記キャップに接する滑り止めとを備え、さらに、前記本体に、取り付け対象物に対し着脱可能なストラップを備えている。
【０００８】
このような発明によれば、手でつかみ易く、ヒンジ効果のある材料を使用することにより、繰り返し使用に耐えうる商品となる。また、ストラップを備えることで戸棚のフックや鞄のファスナー、取手等に取り付け可能となり携帯性に優れる。
【０００９】
本発明の好ましい形態において、前記グリップと前記滑り止めは、同一部材で構成されている。
【００１０】
これにより、キャップ開閉時に回転させる力による滑り止めの外れや破損を防止することができ、部材点数も少なく安価に製作できる。
【００１１】
本発明のさらに好ましい形態において、前記グリップに取り付けられるカバーと前記滑り止めは、同一部材で構成されている。
【００１２】
これにより、キャップ開閉時に回転させる力による滑り止めの外れや破損を防止することができ、部材点数も少なく安価に製作できる。
【００１３】
本発明のさらに好ましい形態において、前記本体の開き量を調整するストッパーが設けられている。
【００１４】
これにより、本体がキャップを保持する方向と逆方向に開かれる量を調整でき、ヒンジの破損防止となる。
【００１５】
本発明のさらに好ましい形態において、前記ヒンジの厚みは、０．２ｍｍ〜３．０ｍｍの範囲である。
【００１６】
これにより、キャップを把持する際のキャップオープナーを閉じる力を板状のヒンジの厚みの設定によって調整することが可能となる。
【００１７】
本発明のさらに好ましい形態において、前記ヒンジは、金属で構成されている。
【００１８】
これにより、ヒンジの耐久性を向上させることができる。
【００１９】
本発明のさらに好ましい形態において、前記グリップは、前記ヒンジの長手方向の中央部分に対し、非対称形状としている。
【００２０】
これにより、グリップをさらに手でつかみ易くし、キャップ開閉時に回転させる力を入れやすくしている。
【発明の効果】
【００２１】
本発明のキャップオープナーの効果は、手でつかみ易く、キャップを把持する際のキャップオープナーを閉じる力をヒンジの厚みによって調整することが可能である。さらに、ヒンジ効果のある材料を使用することにより、繰り返し使用に耐えうる商品となる。また、ストラップを備えたことにより、鞄のファスナーや取手等に取り付け可能となり、さらに、本体を略円形状としたため、携帯性に優れている。
【図面の簡単な説明】
【００２２】
【図１】本発明の実施の形態１のキャップオープナーの全体斜視図である。
【図２】本発明のキャップオープナーの本体の平面図である。
【図３】図２のＡ−Ａ線に沿ったキャップオープナーの本体の断面図である。
【図４】本発明の実施の形態２のキャップオープナーの本体に凸部を設けた斜視図である。
【図５】グリップＡ４ａと滑り止めＡ６ａ及び、グリップＢ４ｂと滑り止めＢ６ｂが同一部材で構成された場合の図４のＢ−Ｂ線に沿った断面図である。
【図６】カバーＡ８ａと滑り止めＡ６ａ及び、カバーＢ８ｂと滑り止めＢ６ｂが同一部材で構成された場合の図４のＢ−Ｂ線に沿った断面図である。
【図７】本発明の実施の形態３のキャップオープナーの本体をヒンジの長手方向の中央部分に対し非対称形状とした斜視図である。
【発明を実施するための形態】
【００２３】
添付図面を参照しながら、本発明の実施の形態１について詳細に説明する。図１は、本発明のキャップオープナー１の全体斜視図である。キャップオープナー１は、ペットボトル２１や調味料のしょうゆ、わさびなどの調味料容器の内部の固体、液体を取り出すときにキャップ２０に取り付けてキャップの開閉を行う本体２と、本体２に設けられたストラップ７とで構成されている。ストラップ７は、室内で保管するときに壁等のフックに引掛け可能なように、また、携帯時に鞄のファスナー等に取り付け可能なように、紐Ａ７ａに一部が開閉自在なフック金具７ｂを設けており、壁等のフックや鞄のファスナーなどの取り付け対象物に対して容易に着脱可能としている。なお、ストラップ７は、図１のように、紐Ｂ７ｃの本体２と反対側の先端部分に本体２が通過できる大きさ以上の輪を設け、取り付け対象物に取り付けられる形状としても良い。そして、ストラップ７は、本体２に孔を設け着脱可能としている。
【００２４】
図２は、本発明のキャップオープナー１の本体２の平面図である。また、図３は、図２のＡ−Ａ線に沿ったキャップオープナー１の本体２の断面図である。本体２は、キャップ２０の開閉時に手でつかむことができるグリップＡ４ａ、グリップＢ４ｂと、グリップＡ４ａ、グリップＢ４ｂを繋ぎあらかじめ設定した任意の形状に略復元可能な可撓性を有する板状のヒンジ３と、キャップ２０に接し開閉時に本体２が空回りしないようにする滑り止めＡ６ａ、滑り止めＢ６ｂと、補強及びデザイン向上を目的としたグリップＡ４ａ、グリップＢ４ｂのそれぞれの開口部を覆うためのカバーＡ８ａ、カバーＢ８ｂとで構成されている。このように、グリップＡ４ａ、グリップＢ４ｂは、ヒンジ３の両端に位置している。そして、本体２の外径は、手で持ちやすいようにペットボトルキャップの直径の２倍〜３倍に設定しており、さらにキャップ２０に対して略同心円状に本体２を構成している。
【００２５】
グリップＡ４ａ、グリップＢ４ｂの外周には、本体２を持ちやすくするために手の指が入るように凹部ｍが設けられている。図２のＲ方向は、キャップ２０に対し本体２を開く方向であり、Ｒと逆方向は、本体２でキャップ２０を保持する方向、すなわち、本体２を閉じる方向である。キャップ２０の開閉は、図１のように、本体２のグリップＡ４ａ、グリップＢ４ｂを手で掴み、本体２を閉じるとともにキャップ２０を把持し回転させて開閉を行う。このときに、キャップ２０が空回りしないように、グリップＡ４ａ、グリップＢ４ｂとキャップ２０の間に位置し、シリコンゴム、ウレタンゴムなどのゴム材料や、ポリスチレン系、ポリオレフィン系、ポリウレタン系、ポリエステル系、ポリアミド系、ポリ塩化ビニル系のエラストマーなどの材料で構成された滑り止めＡ６ａ、滑り止めＢ６ｂを設けている。
【００２６】
なお、グリップＡ４ａとグリップＢ４ｂとヒンジ３は、一体的に成形した同一部材で構成しても良く、もしくは、カバーＡ８ａとカバーＢ８ｂとヒンジ３を一体的に成形した同一部材で構成しても良い。そして、繰り返し使用に対するヒンジ３の破損を防止するため、ヒンジ３の両端の接合部分にＲ０．５ｍｍ程度をつけ応力分散を行うと良い。また、本体２の設定よりも大きいキャップ２０の開閉の場合、本体２がＲ方向に開かれるためヒンジ３の破損防止用にストッパー５を設けている。ストッパー５を設けない場合は、本体２は閉じる方向に比べＲ方向への開き角度が大き過ぎてヒンジ３の破損につながる。なお、本体２のＲ方向への開き量は、ストッパー５の空間ｓによって設定される。Ｒ方向に開いて使用する可能性がない場合は、空間ｓを０ｍｍに近い値に設定すると良い。
【００２７】
また、ヒンジ３は、可撓性を有し 繰り返しの曲げに強いヒンジ特性を持つＰＰ（ポリプロピレン）やＰＡ（ポリアミド ）などの材料を用いることで本体２のＲ方向および、Ｒと逆方向に対する繰り返し使用に耐えることが可能となる。ヒンジ３は、キャップオープナー１の使用後に、略変形前の形状に戻れば良く、本体２をＲと逆方向に閉じる力を小さくするため、ヒンジ３の幅（図２の紙面裏方向への幅）の設定によって、０．２ｍｍ〜３ｍｍの範囲で厚みを設定すると良い。なお、厚みは、樹脂の流動性、ヒンジ効果を考慮し、０．６ｍｍ〜１．５ｍｍの範囲で設定すると更に良い。また、ヒンジ３の耐久性を向上させるため、樹脂のヒンジ３の代わりにばね特性を有するＳＵＳ材やりん青銅などの金属の板材料を用いて、金属製ヒンジ３の両端にグリップＡ４ａ、グリップＢ４ｂを取り付ける本体２の構造でも良い。そして、金属材料の場合は、ヒンジ３の幅によって０．２ｍｍ〜０．５ｍｍの範囲で厚みを設定すると良い。
【００２８】
図３のように、滑り止めＡ６ａ、滑り止めＢ６ｂは、それぞれグリップＡ４ａ、グリップＢ４ｂに嵌合または両面テープ、接着剤などで固定されている。グリップＡ４ａ、グリップＢ４ｂとカバーＡ８ａ、カバーＢ８ｂの材料は、軽量で安価なＰＰ（ポリプロピレン）、ＡＢＳ（ポリブチレンテレフタレート）、ＰＣ（ポリカーボネイト）などの樹脂材料や滑り止めＡ６ａ、滑り止めＢ６ｂと同様にゴムやエラストマー材料によってつくられている。また、グリップＡ４ａ、グリップＢ４ｂとカバーＡ８ａ、カバーＢ８ｂは、ＡＢＳやＰＣなどの透明樹脂材料を使用することにより、キャップの開閉時に本体２を透過できるので非常に便利である。ただし、滑り止めＡ６ａ、滑り止めＢ６ｂをカバーＡ８ａ、カバーＢ８ｂと一体構造（同一部材）にしない場合や滑り止めＡ６ａ、滑り止めＢ６ｂをカバーＡ８ａ、カバーＢ８ｂに取り付けしない構造の場合は、カバーＡ８ａ、カバーＢ８ｂを本体２の構成から外しても良い。
【００２９】
図４は、本発明の実施の形態２の本体２のグリップＡ４ａ、グリップＢ４ｂに凸部ｎを設けた斜視図である。図１では、本体２の凹部ｍに指を入れることによって回転させる力を入れやすくしたが、図４では凸部ｎを設け、指を凸部ｎに引掛けることにより、回転させる力を入れやすくした形状としている。また、滑り止めＡ６ａ、滑り止めＢ６ｂに、キャップ２０の凹凸と同一方向に滑り止め用突起pを複数設けることにより、キャップ２０外周の凹凸に入り込み、さらに滑り止め効果を向上させている。
【００３０】
図５は、グリップＡ４ａと滑り止めＡ６ａ及び、グリップＢ４ｂと滑り止めＢ６ｂが同一部材で構成された場合の図４のＢ−Ｂ線に沿った断面図である。グリップＡ４ａと滑り止めＡ６ａ及び、グリップＢ４ｂと滑り止めＢ６ｂは、キャップ２０に対し本体２が空回りしないように、ゴム材料やエラストマー材料などによって一体的に成形され同一部材としている。また、図６は、カバーＡ８ａと滑り止めＡ６ａ及び、カバーＢ８ｂと滑り止めＢ６ｂが同一部材で構成された場合の図４のＢ−Ｂ線に沿った断面図である。カバーＡ８ａと滑り止めＡ６ａ及び、カバーＢ８ｂと滑り止めＢ６ｂも同様に、キャップ２０に対し本体２が空回りしないように、ゴム材料やエラストマー材料などによって一体的に成形されている。
【００３１】
図７は、本発明の実施の形態３のキャップオープナー１の本体２をヒンジ３の長手方向の中央部分に対し非対称形状とした斜視図である。グリップＡ４ａ、グリップＢ４ｂは、ヒンジ３の長手方向の中央部分の垂直線Ｃ−Ｃに対し、非対称形状となっている。本体２のグリップＡ４ａ、グリップＢ４ｂのそれぞれに凹部ｍと凸部ｎを設け、凹部ｍに親指を入れ凸部ｎに他の指を引掛けることにより、キャップ２０開閉時に回転させる力を入れやすくしている。また、滑り止めＡ６ａ、滑り止めＢ６ｂに、四角、三角、丸形状などの滑り止め用突起ｑを複数設けることにより、キャップ２０外周の凹凸に入り込み、さらに滑り止め効果を向上させている。
【００３２】
添付図面において、同一の部材には同一の符号を付しており、また、重複した説明は省略されている。また、明細書全文の部材の機能や形状はあくまで例示であって、これらの記載に限定されるものではない。特許請求の範囲の記載を逸脱せず、当業者が容易に想到できる範囲であり、これらの各部分等を適宜組み合わせた実施形態や今回示した形態以外の各種実施形態の変形態様もこの発明に含まれる。
【００３３】
本発明の効果は、キャップを把持する際のキャップオープナーを閉じる力（Ｒと逆方向）をヒンジ３の厚みによって調整することができる。さらに、ヒンジ３は、ヒンジ効果のある材料を使用することにより、繰り返し使用に耐えうる商品となる。また、ヒンジ３を金属板で構成することにより、さらに耐久性が向上する。また、グリップＡ４ａ、グリップＢ４ｂと滑り止めＡ６a、滑り止めＢ６ｂとを一体的に成形すること（同一部材）もしくは、カバーＡ８ａ、カバーＢ８ｂと滑り止めＡ６a、滑り止めＢ６ｂとを一体的に成形（同一部材）することにより、キャップ２０開閉時の回転させる力による滑り止めＡ６a、滑り止めＢ６ｂの外れ、破損を防止し、部材点数も少なくなり安価に製作できる。そして、本体２がＲ方向に開かれる量を調整できるストッパー５を設けているのでヒンジ３の破損防止になる。
【００３４】
開閉グリップＡ４ａ、グリップＢ４ｂがヒンジ３の両端に設けられ、グリップＡ４ａ、グリップＢ４ｂのもう一方が開放（オープン状態）されており、その開口部にはキャップが入りやすいように面取りされている。また、どのキャップでも容易に装着できるように、滑り止めＡ６ａ、滑り止めＢ６ｂとキャップ２０との間に隙間を設けているので、ペットボトルや調味料など大きさの異なるキャップでも容易に装着し、キャップ２０を開閉することが可能となる。さらに、グリップＡ４ａ、グリップＢ４ｂとカバーＡ８ａ、カバーＢ８ｂは、ＡＢＳやＰＣなどの透明材料を使用することにより、キャップの開閉時に本体２を透過できるので非常に便利である。そして、ストラップ７にフック金具７ｂや紐Ｂ７ｃに輪を設けたことにより、鞄のファスナーや取手等に取り付け可能となり、さらに、本体２を略円形状としたため、携帯性が非常に良い。そして、本体２の外径は、手で持ちやすいようにペットボトルキャップの直径の２倍〜３倍に設定しており、さらにキャップ２０に対して略同心円状に本体２を構成しているので、キャップ２０開閉時に回転させる力が入りやすい。
【符号の説明】
【００３５】
１  キャップオープナー
２  本体
３  ヒンジ
４ａ  グリップＡ
４ｂ  グリップＢ
５  ストッパー
６ａ  滑り止めＡ
６ｂ  滑り止めＢ
７  ストラップ
７ａ  紐Ａ
７ｂ  フック金具
７ｃ  紐Ｂ
８ａ  カバーＡ
８ｂ  カバーＢ
２０  キャップ
２１  ボトル
ｍ  凹部
ｎ  凸部
ｐ  滑り止め用突起Ａ
ｑ  滑り止め用突起Ｂ
ｓ  空間
【図１】
2014234203.tif 000003
【図２】
2014234203.tif 000004
【図３】
2014234203.tif 000005
【図４】
2014234203.tif 000006
【図５】
2014234203.tif 000007
【図６】
2014234203.tif 000008
【図７】
2014234203.tif 000009